(57)【要約】      （修正有）【課題】インテリアとしても商品価値の高い、斬新でお洒落なテープスタンドを提供する。【解決手段】所定大きさのスタンド本体１と、該スタンド本体１内に組み付けられた内装ケース２とを備える。スタンド本体１は、上端のみが開放された正六面体（キューブ型）に形成され、上端開口部を半開口にすべく摺動自在に嵌合されたスライド天板１ａと、その対向位置に配置されたテープカッター１ｂと、同スタンド本体１の底面四隅に突設された重合スタッドとを備える。内装ケース２は、全体をして重量のある箱体からなり、巻回テープの下半部を許容する大きさに形成された一対の取付凹部２ａ，２ａと、該取付凹部２ａ，２ａの開放端縁に凹設された回転駒受け２ｂ，２ｂとを介して一対の回転駒３を回転自在に遊嵌せしめる。【選択図】図２
0003146041.tif 000002
【実用新案登録請求の範囲】
【請求項１】
所定大きさのスタンド本体と、該スタンド本体内に回動自在に組み付けられた回転駒とを備えてなるテープスタンドにおいて、
前記スタンド本体は、少なくとも一以上の回転駒を有する内装ケースを備えたことを特徴とするテープスタンド。
【請求項２】
前記スタンド本体は、上端が開放された正六面体に形成されると共に、上端開口部を半開口にすべく被装されたスライド天板を備えたことを特徴とする請求項１に記載のテープスタンド。
【請求項３】
前記内装ケースは、少なくとも巻回テープの下半部を許容する大きさに形成された取付凹部と、該取付凹部の開放端縁に凹設された回転駒受けとを備えたことを特徴とする請求項１に記載のテープスタンド。
【考案の詳細な説明】
【技術分野】
【０００１】
本考案は、主として卓上で使用されるテープスタンドの改良に関し、更に詳しくは、少なくとも一対の巻回テープを安定的に保持することができる商品価値の高いお洒落なテープスタンドに関する。    
【背景技術】
【０００２】
従来、斯かるテープスタンドとしては、例えば、巻回された接着テープ（以下、単に巻回テープという）が引出される台座の上面に、テープ引出し方向に傾斜する第１のテープ受け部を設け、前記台座の前面側に上端にテープカッター（切断刃）を有し、かつ、湾曲可能な弾性板を固定すると共に、該弾性板の上部に、前記第１のテープ受け部側に傾斜する第２のテープ受け部を設け、引き出した巻回テープが切断される時に生じる第２のテープ受け部の反力により折り曲げられ、接着重合して剥離代が形成されている（特許文献１参照）。
【特許文献１】特開２００３−８９４６６号公報
【考案の開示】
【考案が解決しようとする課題】
【０００３】
しかしながら、上述した従来のテープスタンドにあっては、台座の上面に巻回テープ受けが設けられた常套なスタイルであるため、趣向性に欠け、インテリアとしても商品価値の高い斬新でお洒落なテープスタンドが要望されている。
【０００４】
本考案はこのような従来の問題点及び要望に鑑みてなされたもので、正六面体の中に二つの巻回テープを安定的に保持することができるのみならず、インテリアとしても商品価値の高いお洒落なテープスタンドを提供することを目的としたものである。
【課題を解決するための手段】
【０００５】
上述の如き従来の問題点を解決し、所期の目的を達成するため本考案の要旨とする構成は、所定大きさのスタンド本体と、該スタンド本体内に回動自在に組み付けられた回転駒とを備えてなるテープスタンドにおいて、前記スタンド本体は、少なくとも一以上の回転駒を有する内装ケースを備えたテープスタンドに存する。
【０００６】
また、前記スタンド本体は、上端が開放された正六面体に形成されると共に、上端開口部を半開口にすべく被装されたスライド天板を備えるのが良い。
【０００７】
更に、前記内装ケースは、少なくとも巻回テープの下半部を許容する大きさに形成された取付凹部と、該取付凹部の開放端縁に凹設された回転駒受けとを備えるのが良い。
【考案の効果】
【０００８】
本考案は上述のように構成され、前記スタンド本体は、少なくとも一以上の回転駒を有する内装ケースを備えたことによって、巻回テープを回転自在に保持するのに適した重量感と安定した操作性を有するテープスタンドを提供できるといった効果を奏する。
【０００９】
また、前記スタンド本体は、上端が開放された正六面体に形成されると共に、上端開口部を半開口にすべく被装されたスライド天板を備えたことによって、スタンド本体内に塵や埃が安易に入ってしまうのを防止することができるのみならず、巻回テープを回動する際、同テープが浮き上がって回転駒が外れてしまうといった不都合を阻止することができるといった効果を奏する。
【００１０】
更に、前記内装ケースは、少なくとも巻回テープの下半部を許容する大きさに形成された取付凹部と、該取付凹部の開放端縁に凹設された回転駒受けとを備えたことによって、巻回テープが幅方向(左右方向)にずれてしまうといった不都合を解消でき、いつでも同じ位置で巻回テープを円滑に引き出すことができるといった効果を奏する。
【００１１】
しかも、本考案のテープスタンドは、構成が単純であるため大量生産に適し、価格も低廉なものとして需要者に供給できる等、本考案を実施することはその実益的価値が甚だ大である。
【考案を実施するための最良の形態】
【００１２】
所定大きさのスタンド本体と、該スタンド本体内に回動自在に組み付けられた巻回テープ取付用の回転駒とを備え、前記スタンド本体は、少なくとも一以上の回転駒を有する内装ケースを備えると共に、前記スタンド本体は、上端が開放された正六面体に形成されると共に、上端開口部を半開口にすべく被装されたスライド天板を備える。更に、前記内装ケースは、少なくとも巻回テープの下半部を許容する大きさに形成された取付凹部と、該取付凹部の開放端縁に凹設された回転駒受けとを備えるのが良い。
【実施例】
【００１３】
次に、本考案の実施の一例を図面を参照しながら説明する。図中Ａは、本考案に係るキューブ型のテープスタンドであり、このテープスタンドＡは、図１に示すように、所定大きさのスタンド本体１と、該スタンド本体１内に組み付けられた内装ケース２(図２参照)とを備えている。
【００１４】
スタンド本体１は、上端のみが開放された正六面体（キューブ型）に形成されており、上端開口部を半開口にすべく摺動自在に嵌合されたスライド天板１ａと、その対向位置に配置されたテープカッター１ｂと、同スタンド本体１の底面四隅に突設された重合スタッド１ｃ，１ｃ…（図５参照）とを備えている。
【００１５】
また、内装ケース２は、全体をして重量のある箱体からなり、図２若しくは図４に示すように、巻回テープＢの下半部を許容する大きさに形成された一対の取付凹部２ａ，２ａと、該取付凹部２ａ，２ａの開放端縁に凹設された回転駒受け２ｂ，２ｂとを介して一対の回転駒３が回転自在に遊嵌されている。
【００１６】
因に、回転駒受け２ｂ、２ｂは、後述する回転駒３の回転軸３ａが安易に抜け落ちないように断面鈎状の盲穴に形成されている。換言すれば、回転駒受け２ｂ、２ｂは、回転軸３ａを嵌入する位置(入口)と同回転軸３ａを回転自在に支持する位置とが軸心状にならないように鈎状に凹設されており、鈎状盲穴の突き当たりに位置する回転軸３ａは、抜け止め状態にロックされており、強制的に嵌入位置（入口）下まで変位させない限り、安易にして上方向に抜けることがない。
【００１７】
また、回転駒３は、木材や硬質合成樹脂材等の適宜材料からドラム状に形成されおり、幅方向に延出した回転軸３ａ，３ａを介して前記内装ケース２の回転駒受け２ｂ，２ｂに回動自在に遊嵌されている。
【００１８】
このように構成される本考案のテープスタンドＡは、巻回テープＢの中心孔（図示せず）に回転駒３を嵌め入れた状態で、前記取付凹部２ａ，２ａに巻回テープＢの下半部を嵌挿させるだけで、回転駒受け２ｂ、２ｂと回転駒３の回転軸３ａ，３ａが整合すべく遊嵌されるため、簡単にして一対の巻回テープを回動自在に保持することができ、また、スタンド本体１の上端開口には、スライド天板１ａが被装されているため、スタンド本体１内に塵や埃が安易に入ってしまうのを防止することができるのみならず、前記断面鈎状の回転駒受け２ｂと協働して、巻回テープＢを回動する際、同テープＢが浮き上がって回転駒３が外れてしまうといった不都合を阻止することができ、いつでも同じ位置で巻回テープＢを円滑に引き出すことができるのである。
【００１９】
また、テープスタンドＡの底面には、四隅に重合スタッド１ｃ，１ｃ…が突設されているため、例えば、同形同大のキューブ型の時計、ペン立て、メモホルダー、テープホルダー、ライト、灰皿等と自由に重ね合わせたり、また、縦横に組み合わせることができるなど、インテリアとしての更なる趣向性も付加させることができることは云うまでもない。
【００２０】
尚、本考案のテープスタンドは、本実施例に限定されることなく、本考案の目的の範囲内で自由に設計変更し得るものであり、本考案はそれらの全てを包摂するものである。
【図面の簡単な説明】
【００２１】
【図１】本考案に係るテープスタンドの使用状態を示す斜視図である。
【図２】同テープスタンドの組立分解斜視図である。
【図３】スライド天板を外した状態を示す同テープスタンドの平面図である。
【図４】同テープスタンドの縦断面図である。
【図５】同テープスタンドの底面図である。
【符号の説明】
【００２２】
１  スタンド本体
１ａ  スライド天板
１ｂ  テープカッター
１ｃ  重合スタッド
２  内装ケース
２ａ  取付凹部
２ｂ  回転駒受け
３  回転駒
３ａ  回転軸
【図１】
0003146041.tif 000003
【図２】
0003146041.tif 000004
【図３】
0003146041.tif 000005
【図４】
0003146041.tif 000006
【図５】
0003146041.tif 000007